(57)【要約】【課題】新規の芯でも筆記開始時から尖った先端での筆記を可能とし、筆記時に芯の角部の位置を認識可能なシャープペンシルを提供する。【解決手段】チャックにより断面を多角形状に形成した芯を繰り出し可能に構成したシャープペンシルにおいて、軸筒２の内部にチャック６を配設し、チャック６に芯保持部６ｄを設け、芯保持部６ｄで保持した芯５を軸筒２に対して回動不能とするとともに、前記芯保持部６ｄの後方に前記芯５が摺接する複数のガイド部６ｉを形成した。  【選択図】  図３
2015123710.tif 000002
【特許請求の範囲】
【請求項１】
軸筒内に配したチャックを前後動させることにより断面が多角形状で軸心に沿った側面と角部とを有する芯の繰り出しを行うシャープペンシルであって、前記チャックに芯を回動不能に保持させる芯保持部を形成し、前記チャックが前記芯を保持している間は前記チャックを前記軸筒に対して回動不能とする回転止め部を前記軸筒内に設け、前記芯保持部の後方に前記芯が摺接する複数のガイド部を形成し、前記芯が前方へ向かって前記ガイド部の間を通過する際に当該ガイド部により前記芯の外形が前記芯保持部で保持可能な向きとなり、前記芯の向きで前記芯を前記芯保持部で保持することにより前記軸筒に対して前記芯の角部の位置を固定し、且つ前記軸筒に、筆記時において前記芯の角部が筆記面に当接している状態を認識するための判別手段を設けたことを特徴としたシャープペンシル。
【請求項２】
前記チャックの前部に複数の弾性片を形成するとともに該弾性片に前記芯の外形に合わせて凹状に形成した前記芯保持部を設け、前記芯保持部と前記芯の側面とを当接するようにした請求項１に記載のシャープペンシル。
【請求項３】
前記チャックの後方に前記芯が通過する連絡口を設け、前記連絡口の後端部を前記芯よりも大きく、且つ前記芯が１本のみ通過可能な円形状又は多角形状に形成するとともに、前記連絡口の前端部を前記芯と同形状且つ若干大きい多角形状に形成し、前記連絡口の断面を前記後端部から前記前端部にかけて先すぼみ状に徐々に変化させて形成し、前記連絡口の内方に形成される複数に区画された内壁を前記ガイド部とした請求項1又は２に記載のシャープペンシル。
【請求項４】
前記軸筒の外形形状を前記芯と同じ多角形状に形成して軸心に沿った側面と角部とを設け、前記軸筒の角部に対して軸心を挟んだ反対側に前記芯の角部が位置するように前記チャックの芯保持部を形成して前記芯を保持させることにより、前記軸筒の角部で前記芯の角部が筆記面に当接している状態を認識するための前記判別手段を構成した請求項１ないし３のいずれか１項に記載のシャープペンシル。
【請求項５】
前記軸筒の外径に凸状部又は凹状部を形成して、前記凸状部又は凹状部に対して軸心を挟んだ反対側に前記芯の角部が位置するように前記チャックの芯保持部を形成して前記芯を保持させることにより、前記凸状部又は凹状部で前記芯の角部が筆記面に当接している状態を認識するための前記判別手段を構成した請求項１ないし３のいずれか１項に記載のシャープペンシル。
【請求項６】
前記軸筒の前方に前記芯が通過可能な先端口を形成し、前記先端口の断面を前記芯と同形状且つ若干大きい多角形に形成した請求項１ないし５のいずれか1項に記載のシャープペンシル。
【発明の詳細な説明】
【技術分野】
【０００１】
本発明は、断面を多角形状に形成した芯を繰り出すことができるシャープペンシルに関する。
【背景技術】
【０００２】
一般的に筆記具は若干傾けて筆記するものであるが、円形芯を用いたシャープペンシルは傾けて筆記すると芯が片減りしてしまうために、芯の端面が楕円状に削れてしまい、筆跡が次第に太くなってしまうものであった。これに対して特許文献１には、鉛筆の芯を多角柱に形成し、芯の角部を使用することで常に尖った先端で筆記ができる先行技術が開示されている。
【０００３】
しかしながら、特許文献１の先行技術では、多角柱に形成された鉛筆芯の角部が筆記面に当接しているかを判別する手段について明記や示唆がされておらず、鉛筆芯の角部が筆記面に当接しているかを常に気にしつつ筆記する必要があり使い難いものであった。
【０００４】
また、特許文献２にはシャープペンシルのグリップを三角形に形成し、軸を１２０度ずつ回転させながら筆記することで芯が六角錐に削られ、常に一定の太さの字で筆記することができる先行技術が開示されている。
【０００５】
しかしながら、特許文献２の先行技術では、使用している芯が円形の芯であるため、新規に使い始めた芯では先端が尖るまで筆跡が太くなる問題があり、また円形の芯であるため、筆記時に芯が削れることによりすぐに筆跡が太くなるため、頻繁に軸を回転しないと一定の筆記幅での筆記ができず、使い難いものであった。
【先行技術文献】
【特許文献】
【０００６】
【特許文献１】特開昭５４−８０２２号公報
【特許文献２】特開平１０−１００５８２号公報
【発明の概要】
【発明が解決しようとする課題】
【０００７】
本発明は上記問題を鑑み、新規の芯でも筆記開始時から尖った先端での筆記が可能であり、同じ軸位置で筆記し続けても筆跡が太くなるのを軽減し、芯の角部が筆記面に当接していることを認識することが可能なシャープペンシルを提供することである。
【課題を解決するための手段】
【０００８】
本発明は、
「１．軸筒内に配したチャックを前後動させることにより断面が多角形状で軸心に沿った側面と角部とを有する芯の繰り出しを行うシャープペンシルであって、前記チャックに芯を回動不能に保持させる芯保持部を形成し、前記チャックが前記芯を保持している間は前記チャックを前記軸筒に対して回動不能とする回転止め部を前記軸筒内に設け、前記芯保持部の後方に前記芯が摺接する複数のガイド部を形成し、前記芯が前方へ向かって前記ガイド部の間を通過する際に当該ガイド部により前記芯の外形が前記芯保持部で保持可能な向きとなり、前記芯の向きで前記芯を前記芯保持部で保持することにより前記軸筒に対して前記芯の角部の位置を固定し、且つ前記軸筒に、筆記時において前記芯の角部が筆記面に当接している状態を認識するための判別手段を設けたことを特徴としたシャープペンシル。
２．前記チャックの前部に複数の弾性片を形成するとともに該弾性片に前記芯の外形に合わせて凹状に形成した前記芯保持部を設け、前記芯保持部と前記芯の側面とを当接するようにした１項に記載のシャープペンシル。
３．前記チャックの後方に前記芯が通過する連絡口を設け、前記連絡口の後端部を前記芯よりも大きく、且つ前記芯が１本のみ通過可能な円形状又は多角形状に形成するとともに、前記連絡口の前端部を前記芯と同形状且つ若干大きい多角形状に形成し、前記連絡口の断面を前記後端部から前記前端部にかけて先すぼみ状に徐々に変化させて形成し、前記連絡口の内方に形成される複数に区画された内壁を前記ガイド部とした1項又は２項に記載のシャープペンシル。
４．前記軸筒の外形形状を前記芯と同じ多角形状に形成して軸心に沿った側面と角部とを設け、前記軸筒の角部に対して軸心を挟んだ反対側に前記芯の角部が位置するように前記チャックの芯保持部を形成して前記芯を保持させることにより、前記軸筒の角部で前記芯の角部が筆記面に当接している状態を認識するための前記判別手段を構成した１項ないし３項のいずれか１項に記載のシャープペンシル。
５．前記軸筒の外径に凸状部又は凹状部を形成して、前記凸状部又は凹状部に対して軸心を挟んだ反対側に前記芯の角部が位置するように前記チャックの芯保持部を形成して前記芯を保持させることにより、前記凸状部又は凹状部で前記芯の角部が筆記面に当接している状態を認識するための前記判別手段を構成した１項ないし３項のいずれか１項に記載のシャープペンシル。
６．前記軸筒の前方に前記芯が通過可能な先端口を形成し、前記先端口の断面を前記芯と同形状且つ若干大きい多角形に形成した１項ないし５項のいずれか1項に記載のシャープペンシル。」である。
【０００９】
前記第１の構成によれば、本発明のシャープペンシルは断面を多角形状に形成した芯を繰り出すことができ、芯の角部で筆記することにより芯の使い始めから尖った先端での筆記が可能となる。また、チャックの芯保持部で芯を回動不能に保持でき、軸筒に設けた回転止め部によりチャックを軸筒に対して回動不能とすることで、軸筒に対して芯を回動不能に保持することができる。これにより筆記時や芯繰り出し時に芯が回転することを防止できる。尚、軸筒とチャックとを回動不能とする手段としては、例えば軸筒に設けた回転止め部に長手方向に延びる凹部を形成し、チャック側に側面に凸部を形成して摺接させてもよく、凹凸の関係を逆にして回転止め部に凸部を形成し、チャック側面に凹部を形成してもよい。
また、芯保持部の後方にガイド部を設けることにより、ガイド部を通過して芯保持部に到達した芯は、芯の外形と芯保持部との位置が一致しているため、芯保持部で芯を確実に保持することが可能となる。
【００１０】
更に、軸筒に対して芯の角部がどちらの方向にあるかを判別する手段を軸筒に設けているため、筆記時に芯の角部が筆記面に当接しているかを認識することができる。また、筆記することにより芯の角部が削れて筆跡が太くなったら、軸筒を回転させて多角形の芯の別の角部を筆記面に当接させることで常に尖った先端での筆記が可能となる。
【００１１】
尚、本発明に用いられる芯は、断面が多角形を形成するよう角数が三以上であれば特に規制するものではないが、角数が多くなると角部が鈍角になるため、尖った先端で筆記するためには角数を六角以下にすることが好ましい。また、筆跡の幅が細い状態を長く維持して筆記するためには芯の角数が少ないほど効果が大きくなるため、三角とすることがより好ましい。更に、芯はどの角部を使用しても常に同じ筆跡の幅で筆記できるよう、芯の断面形状は全ての角部の角度が同じになる正多角形がよく、このため芯の断面形状は正三角形にすることが更に好ましい。
【００１２】
前記第２の構成によれば、チャックの前部に複数の弾性片を設け、各々の弾性片の内側に芯保持部を形成し、芯保持部と芯の側面とが当接するよう芯の形状に合わせて凹状に形成することで、芯を回動不能に保持することができる。尚、芯保持部と芯の角部との間に間隙を設けることで、芯を保持した際に角部が欠けることを防止でき、常に尖った角部での筆記を行うことができるため好ましい。
【００１３】
前記第３の構成によれば、チャックの後方に連絡口を設け、連絡口の後端部を芯が一本のみ通過可能且つ芯の断面より大きな円形や多角形とすることで、芯を後方から連絡口に入り易くするとともに、芯詰まりの発生を防ぎ、連絡口の先端部の断面を芯と同形状且つ若干大きな多角形に形成し、連絡口を後端部から先端部にかけて徐々に先すぼみ状に形成することで、連絡口を通過する芯は連絡口の内壁に形成された複数のガイド部に角部を摺接させつつ前進して角部の位置が移動し、芯の先端が連絡口の前端を通過する際には芯の側面の位置を芯保持部の位置と一致させることができる。
尚、芯の角部の芯保持部の位置を一致させる別の手段としては、連絡口内に突起を設け、突起に芯を摺接させることで角部の位置を修正することが可能である。
【００１４】
前記第４の構成によれば、軸筒の外形を芯と同じ多角形状に形成し、芯の角部に対して軸筒の角部が軸心を挟んで反対側にくるよう構成しているため、芯の角部を筆記面に当接させると自動的に軸筒の角部が目視しやすい位置にくるため、芯の角部を常に筆記面に当接させつつ筆記することが容易となる。
【００１５】
更に、軸筒の外形は芯と同じ断面の多角形状であれば、角数は特に規制するものではないが、筆記具を指で保持する際の理想的な持ち方を考慮した場合、筆記具は主に親指と人差し指と中指との三指で押さえられる為、軸筒外形の断面は軸筒の側面の数が三となる三角形状に形成することが最も保持しやすく正しい持ち方ができるため好ましい。
【００１６】
前記第５の構成によれば、筆記時に芯の角部の位置を判別できるよう、軸筒の外周に凸状部や凹状部を設けることで芯の角部が筆記面に当接していることを視覚だけでなく、触感でも判別することが可能となり、更に軸筒の外形形状も自由に選択することが可能となる。
【００１７】
前記第６の構成によれば、軸筒の前方に先端口を設け、先端口の断面形状を芯と同形状かつ若干大きく形成することで、軸筒内方から芯の突出を可能とするとともに、芯が短くなってチャックで保持できなくなった残芯で筆記する際も芯が回転することがないため芯の角部を用いた筆記が最後まで可能となる。
【発明の効果】
【００１８】
本発明によれば、芯の断面が多角形状に形成されていることから、筆記開始時から芯の尖った角部での筆記が可能であり、筆記を続けても筆跡が太くなり難く、筆記時に芯のいずれかの角部が筆記面に当接していることを容易に認識できるシャープペンシルを提供することができた。
【図面の簡単な説明】
【００１９】
【図１】本実施例のシャープペンシルを示す側面図である。
【図２】本実施例に用いられる芯の斜視図である。
【図３】本実施例のシャープペンシルを軸筒の側面に対して平行且つ軸心を通るように切断した断面図である。
【図４】図３におけるＡ−Ａ断面の拡大図である。
【図５】図３におけるＢ−Ｂ断面の拡大図である。
【図６】本実施例におけるシャープペンシルのチャックを示す正面図である。
【図７】図６におけるチャックの断面図である。
【図８】図６におけるチャックの後端を示す端面図である。
【図９】本実施例におけるシャープペンシルの前端を示す端面図である。
【図１０】本実施例におけるシャープペンシルで筆記する状態を示す斜視図である。
【図１１】他の実施例のシャープペンシルを示す側面図である。
【図１２】図１１におけるＣ−Ｃ断面の拡大図である。
【発明を実施するための形態】
【００２０】
次に図１から図１０を参照しながら、本実施例のシャープペンシルの説明をするが、本発明は以下の実施例に限定されるものではない。また、本実施例ではシャープペンシルに挿入される芯の断面を正三角形に形成した正三角柱とした場合について例示してある。尚、シャープペンシルの先口がある側を前方と表現し、ノブがある反対側を後方と表現する。
【００２１】
図１は本実施例のシャープペンシル１の側面図である。シャープペンシル１は軸筒２の前部に先口３を装着し、軸筒の後方からノブ４を装着してある。
【００２２】
図２に示すように、本実施例のシャープペンシル１に用いられる芯５は、端面５ａを正三角形で形成した正三角柱に形成し、芯５の長手方向に沿って側面５ｂと角部５ｃとを有している。尚、芯の角部５ｃは完全な正三角形にすると欠け易くなるため、若干の丸みを帯びていてもよい。
【００２３】
また、図３及び図４に示すように、軸筒２は前部に先端段部２ａが形成され、先端段部２ａの後部に係止凹部２ｂが形成してある。更に軸筒２の前部には先端内孔２ｃが形成され、先端内孔２ｃの後方には内方に突出する回転止め部２ｄを設けてある。また、軸筒は外形が芯５と同じ正三角形に形成してあり、軸筒２の外形は長手方向に延びる側面２ｅと角部２ｆとで構成される。
【００２４】
次に図３〜図６に示すように、軸筒２の先端内孔２ｃにチャック６を配設し、チャック６は前部を２分割して弾性片６ａを形成してある。また、弾性片６ａは前端を略半円形に形成した最大径部６ｂと外周に設けた隆起部６ｃとで形成してある。更に、最大径部６ｂと隆起部６ｃの内側には芯５の側面５ｂを保持する芯保持部６ｄが設けてあり、芯保持部６ｄの形状は芯５の角部５ｃを通る断面で縦に半分割した形状とほぼ同じ凹状に形成し、角部５ｃが当接しないよう回避溝６ｅを設けてある。この回避溝６ｅにより欠け易い芯の角部５ｆを当接することなく芯５を保持できるため、常に先端の尖った角部５ｃでの筆記をすることが可能となる。尚、芯保持部６ｄにより保持される芯５は、角部５ｃに対して軸筒２の角部２ｆが軸心Ｍを挟んで反対側にくるように構成してある。
【００２５】
また、図７および図８に示すように、チャック６の後部に連絡口６ｆを形成し、連絡口６ｆの後端部６ｇの断面形状を芯５の外接円より大きな円形に形成し、連絡口６ｆの前端部６ｈの断面形状を芯５と同形状且つ芯５より若干大きな正三角形に形成し、連絡口６ｆの断面形状を後端部６ｇから前端部６ｈにかけて先すぼみ状に徐々に小さく、且つ形状を円形から正三角形に変化させて形成してある。これにより連絡口６ｆの内面には複数のガイド部６ｉが形成される。尚、連絡口６ｆの後端部６ｇの大きさは芯５が連絡口６ｆに入りやすいように芯５より大きく形成してあるが、連絡口６ｆは芯５が１本のみ通過可能な大きさで形成し、２本以上の芯５が同時に連絡口６ｆ内に入れないようにすることで、芯５が連絡口６ｆ内で詰まることを防ぐことができる。また、前端部６ｈにおける芯５と連絡口６ｆとの隙間は０．２ｍｍ未満とし、前端部６ｈを通過している芯５はチャック６に対して略回動不能となる。尚、図示しないが連絡口６ｆの後端部６ｇの断面形状は芯より大きな多角形状としてもよい。
【００２６】
また、チャック６は側面に長手方向に延びる凸部６ｊを設けてあり、軸筒内部の回転止め部２ｄに長手方向に延びる凹部２ｇを設け、凹部２ｇに対して凸部６ｊを挿入することで、チャック６と軸筒２を前後方向に摺動可能且つ回動不能に摺接してある。
【００２７】
更に、チャック６の隆起部６ｃには締具７が外嵌され、締具７には外周に鍔部７ａを形成して、軸筒の前端と先口３の後段部３ａとの間で遊嵌してある。一方、チャック６の最大径部６ｂの曲率半径は締具７の内孔７ｂより大きく形成してあり、最大径部６ｂを越えて締具７がチャックの前方に抜けることを防止してある。
【００２８】
また、図３に示すようにチャック６の後方には芯タンク８を設けてあり、芯タンク８の前端に先端開口部８ａを形成し、チャック６の後部の外周に段状突起６ｋを形成して芯タンク８の先端開口部８ａに圧入して嵌着してある。更に芯タンク８の内部に複数本の予備芯５を収納可能な収納部８ｂを設け、後部外周に外段８ｃを形成してある。また、芯タンク８の外段８ｃと軸筒２に内孔に形成した後部内段２ｈとの間にスプリング９を約５００ｇの取り付け荷重で張架し、芯タンク８とチャック６と締具７とを後方に弾発してある。一方、後方に弾発されたチャック６は外嵌している締具７の鍔部７ａが軸筒２の先端部に当接することで支持されている。更に、芯タンク８の後部内側に段部８ｃを形成し、消しゴム１０を段部８ｃに着脱自在に取り付けてある。
【００２９】
また、芯タンク８の後部外周に後鍔部８ｄを設け、後鍔部８ｄの後方に周状溝部８ｅを形成し、ノブ４の前端の内側に内方に突出する係止凸部４ａを形成し、係止凸部４ａと芯タンクの周状溝部８ｅとを係合させることで芯タンク８に対してノブ４を着脱自在に装着してある。
【００３０】
更に、図３及び図５及び図９に示すように、軸筒先端に配設された先口３は、内孔を段状に形成し、内孔の前段部３ｂに芯を適度の力で保持するゴム製の芯ホルダー１１を装着してある。更に、先口３の内孔の後端部に内側に突出する係止突起３ｃを設けてあり、係止突起３ｃと軸筒２の係止凹部２ｂとを係合させることで先口３と軸筒２を着脱自在に装着してある。また、先口３の前端に芯５の断面に対して若干大きい正三角形で形成した先端口３ｄを設け、先端口３ｄは芯保持部６ｄで保持した芯の角部５ｃの位置に合わせ、軸筒２の角部２ｆに対して軸心Ｍの反対側に芯の角部５ｃがくるよう形成してある。尚、芯５と先端口３ｄの隙間を０．２ｍｍ以下にして形成することで筆記時に先端口３ｄにより芯５ががたつくことなく支持され、且つ適度な隙間によりチャック６により繰り出される芯がスムーズに先端口３ｄを通過することが可能となる。また、先口３の外形は軸筒２に合わせて後端を三角形とした三角錐状に形成してある。  
【００３１】
ここで、本実施例のシャープペンシル１はノブ４をノックして芯５を繰り出す際、芯タンク８の収納部８ｂよりチャック後部の連絡口６ｆに入った芯５は、角部５ｃを連絡口６ｆの内面に形成されたガイド部６ｉに摺接させながら回転しつつ前進し、連絡口６ｆを通過したときには、芯の角部５ｃの位置は軸筒２の角部２ｆに対して軸心Ｍを挟んだ反対側の位置に移動する。その結果、芯保持部６ｄに到達した芯５の側面５ｂの位置は、凹状に形成した芯保持部６ｄと完全に一致しているため、芯５をそのまま芯保持部６ｄで保持することができる。このため、芯５を保持する際に角部５ｃが欠けるなどの破損が生じることがない。更に、ノブ４をノックすることでチャック６により前方へ繰り出された芯５は、芯ホルダー１１を通って先口３の先端口３ｄに到達した際、芯保持部同様に芯５の外形の位置と、先端口３ｄの内形の位置とが一致しているため、スムーズに先端口３ｄを通過し前方へ突出される。また、先端口３ｄを芯５と略同形状の正三角形に形成しているため、芯５は先端口３ｄに対して回動不能となり、図示はしないが筆記を続けることで芯５が短くなり、チャックで芯５を保持できなくなっても、筆記時に芯５が回動することがなく、残芯の最後まで芯の角部５ｃによる筆記を続けることができる。
【００３２】
また、本実施例のシャープペンシルで筆記するときは、図１０に示すように、軸筒の角部２ｆを筆記面Ｈに対して軸心Ｍの反対側（図１０での上方）にくるよう軸筒の側面２ｅを親指と人差し指と中指とで保持することで、芯の角部５ｃが筆記面Ｈに当接し、筆記初めより尖った先端での筆記ができる。また、筆記を継続することにより芯５の先端が削られ、筆跡が太くなった際には、軸筒２の角部２ｆを目印に軸筒２を回転させ、筆記面Ｈに当接する芯の角部５ｃを他の角部５ｄに移すことで、容易に尖った先端での筆記を継続することができる。
尚、本実施例のように軸筒２の外形を正三角形とした場合、軸筒２を親指と人差し指と中指で正しく保持すると自然に角部２ｆが図１０での上方を向き、芯の角部５ｃが筆記面Ｈに当接するため使いやすく好ましい。
【００３３】
次に、図１１及び図１２に他の実施例のシャープペンシル１０１を示す。シャープペンシル１０１は、軸筒１０２の外周を円形に形成し、軸筒１０２を芯の角部５ｃに対して軸心Ｍを挟んだ反対側の外周面上に図１２（Ａ）に示す凸状部１０２ａ又は図１２（Ｂ）に示す凹状部１０２ｃを形成して芯の角部５ｃの位置を判別するする手段とした。また、先口１０３は軸筒１０２に合わせて外形を前端側が細くなる円錐状に形成してある。尚、軸筒１０２と先口１０３の外形以外の他の構成部分については本実施例と同じ構成とした。
【００３４】
他の実施例のシャープペンシル１０１で筆記を行う場合、芯の角部５ｃの位置を目視で判断するだけでなく、指が当たる位置に凸状部１０２ａや凹上部１０２ｂを形成することで触感でも芯の角部５ｃが筆記面に当接しているかを確認できるため、軸筒の外形形状を自由に構成可能となる。
【産業上の利用可能性】
【００３５】
本発明のシャープペンシルは、筆記芯の径、色に限定されることなく、シャープペンシルとして広く利用可能である。
【符号の説明】
【００３６】
１…シャープペンシル、
２…軸筒、２ｄ…回転止め部、
３…先口、３ｄ…先端口、
４…ノブ、
５…芯、５ｂ…側面、５ｃ…角部、
６…チャック、６ａ…弾性片、６ｄ…芯保持部、６ｆ…連絡口、６ｉ…ガイド部、
７…締具、
８…芯タンク、
９…スプリング、
１０…消しゴム、
１１…芯ホルダー、
Ｈ…筆記面、
Ｍ…軸心。
【図１】
2015123710.tif 000003
【図２】
2015123710.tif 000004
【図３】
2015123710.tif 000005
【図４】
2015123710.tif 000006
【図５】
2015123710.tif 000007
【図６】
2015123710.tif 000008
【図７】
2015123710.tif 000009
【図８】
2015123710.tif 000010
【図９】
2015123710.tif 000011
【図１０】
2015123710.tif 000012
【図１１】
2015123710.tif 000013
【図１２】
2015123710.tif 000014